(57)【要約】【課題】製造コストの増加を抑制しながらも、光学素子を効果的に冷却することができる液晶プロジェクタを提供する。【解決手段】液晶プロジェクタは、３つの液晶ライトバルブと、冷却風を送風する冷却ファンと、光学部品に冷却風を供給するダクト６０とを備え、ダクト６０は冷却風を光学部品に向けて流出させる複数の流出部を備えている。さらに液晶プロジェクタは、１つの液晶ライトバルブを透過する所定の波長領域を有する緑色光について、その波長領域に含まれるとともにその波長領域よりも狭い波長領域を有する黄色光の偏光状態を調整するＹｅ変調素子を備えている。ダクト６０は、複数の流出部のうちの１つとして、冷却風をＹｅ変調素子に向けて流出させる流出部６３を備え、ダクト６０に冷却風の経路を構成する仕切り板８０が設けられることにより、流出部６３からＹｅ変調素子に向けて流出する冷却風の風量が大きくなるように構成されている。【選択図】図１２
2010061006.tif 000002
【特許請求の範囲】
【請求項１】
映像を表示するための光を透過させる光学部品により構成される３つの液晶ライトバルブと、前記光学部品を冷却するための冷却風を送風する冷却ファンと、前記光学部品に前記冷却風を供給するダクトとを備え、前記ダクトは前記冷却風を前記光学部品に向けて流出させる複数の流出部を備える液晶プロジェクタにおいて、
前記３つの液晶ライトバルブのうちの１つの液晶ライトバルブを透過する所定の波長領域を有する光について、前記所定の波長領域に含まれるとともに前記所定の波長領域よりも狭い波長領域を有する光の偏光状態を調整する光学素子をさらに備え、
前記ダクトは、前記複数の流出部のうちの１つの流出部として、前記冷却風を前記光学素子に向けて流出させる光学素子用流出部を備え、
前記ダクトに前記冷却風の経路を構成する経路構成部品が設けられることにより、この経路構成部品を前記ダクトに設けない場合と比較して、前記光学素子用流出部から前記光学素子に向けて流出する前記冷却風の風量が大きくなるように構成されている
ことを特徴とする液晶プロジェクタ。
【請求項２】
請求項１に記載の液晶プロジェクタにおいて、
前記ダクトは、前記複数の流出部のうちの１つの流出部として、前記光学素子を除く光学部品に向けて流出させる他の流出部を備え、
前記経路構成部品は、前記他の流出部に向かう前記冷却風の流れを妨げるための壁部を備えている
ことを特徴とする液晶プロジェクタ。
【請求項３】
請求項２に記載の液晶プロジェクタにおいて、
前記経路構成部品が備える前記壁部は、前記ダクトにおける前記冷却風の流れを遮断する
ことを特徴とする液晶プロジェクタ。
【請求項４】
請求項１〜３のいずれか一項に記載の液晶プロジェクタにおいて、
前記冷却ファンとして、第１の冷却ファン及び第２の冷却ファンを備え、
前記ダクトは、前記第１の冷却ファンにより送風される前記冷却風が流れる第１の流路と、前記第２の冷却ファンにより送風される前記冷却風が流れる第２の流路と、前記第１の流路と前記第２の流路とを連通する連通部とを備え、
ダクトに前記経路構成部品が設けられることにより、前記連通部における前記冷却風の流れが妨げられる
ことを特徴とする液晶プロジェクタ。
【請求項５】
請求項４に記載の液晶プロジェクタにおいて、
前記３つの液晶ライトバルブとして、前記光学素子により偏光状態が調整される光が透過する１つの液晶ライトバルブ、この１つの液晶ライトバルブを除く２つの液晶ライトバルブとを備え、
前記第１の流路を流れる前記冷却風は、前記１つの液晶ライトバルブを構成する光学部品に向けて流出するとともに、前記第２の流路を流れる前記冷却風は、前記２つの液晶ライトバルブを構成する光学部品に向けて流出する
ことを特徴とする液晶プロジェクタ。
【発明の詳細な説明】
【技術分野】
【０００１】
本発明は、映像を表示するための光を透過させる光学部品により構成される３つの液晶ライトバルブと、光学部品を冷却するための冷却風を送風する冷却ファンと、光学部品に冷却風を供給するダクトとを備える液晶プロジェクタに関する。
【背景技術】
【０００２】
一般に、液晶プロジェクタは、映像を表示するための光を透過させる光学部品により構成された３つの液晶ライトバルブと、光学部品の寿命低下を抑制することを目的として、光学部品を冷却するための冷却風を送風する冷却ファンと、光学部品に冷却風を供給する樹脂製のダクトとを備えている。このダクトは、冷却風を光学部品に向けて流出させる複数の流出部を備えている（例えば、特許文献１参照）。
【０００３】
ところで、映像の画質を向上することを目的として光学部品である光学素子の部品点数が増えた場合、液晶プロジェクタに応じて、光学素子を効果的に冷却するように設計を変更する必要がある。光学素子を効果的に冷却するための手段としては、冷却ファンを増設することや、ダクトの形状を変更することが考えられる。
【特許文献１】特開２００７−２９８８９０号公報
【発明の開示】
【発明が解決しようとする課題】
【０００４】
しかしながら、光学素子を効果的に冷却するために冷却ファンを増設する場合には、液晶プロジェクタの製造コストが増加してしまうという問題がある。また、光学素子を効果的に冷却するためにダクトの形状を変更する場合にも、光学素子に応じてダクトを成型するための金型を作成する必要があるため、液晶プロジェクタの製造コストが増加してしまうという問題がある。
【０００５】
本発明は、こうした実情に鑑みてなされたものであり、その目的は、製造コストの増加を抑制しながらも、光学素子を効果的に冷却することができる液晶プロジェクタを提供することを目的とする。
【課題を解決するための手段】
【０００６】
請求項１に記載の発明は、映像を表示するための光を透過させる光学部品により構成される３つの液晶ライトバルブと、前記光学部品を冷却するための冷却風を送風する冷却ファンと、前記光学部品に前記冷却風を供給するダクトとを備え、前記ダクトは前記冷却風を前記光学部品に向けて流出させる複数の流出部を備える液晶プロジェクタにおいて、前記３つの液晶ライトバルブのうちの１つの液晶ライトバルブを透過する所定の波長領域を有する光について、前記所定の波長領域に含まれるとともに前記所定の波長領域よりも狭い波長領域を有する光の偏光状態を調整する光学素子をさらに備え、前記ダクトは、前記複数の流出部のうちの１つの流出部として、前記冷却風を前記光学素子に向けて流出させる光学素子用流出部を備え、前記ダクトに前記冷却風の経路を構成する経路構成部品が設けられることにより、この経路構成部品を前記ダクトに設けない場合と比較して、前記光学素子用流出部から前記光学素子に向けて流出する前記冷却風の風量が大きくなるように構成されていることを要旨とする。
【０００７】
この発明によれば、３つの液晶ライトバルブのうち１つの液晶ライトバルブを透過する所定の波長領域を有する光について、その所定の波長領域に含まれるとともに上記所定の波長領域よりも狭い波長領域を有する光の偏光状態を調整する光学素子をさらに備えている。このため、３つの液晶ライトバルブのみで偏光状態を調整する場合に比し、色再現性の高い映像を表示することができる。そして、ダクトに経路構成部品が設けられることにより、複数の流出部のうちの１つの流出部である光学素子用流出部から上記の光学素子に向けて流出する冷却風の風量が大きくなるように構成されている。このため、冷却ファンを増設することなく、また、ダクトの形状を変更することなく、上記の光学素子に向けて流出する冷却風の風量を大きくすることができる。従って、製造コストの増加を抑制しながらも、色再現性の高い映像を表示するための光学素子を効果的に冷却することができる。
【０００８】
請求項２に記載の発明は、請求項１に記載の液晶プロジェクタにおいて、前記ダクトは、前記複数の流出部のうちの１つの流出部として、前記光学素子を除く光学部品に向けて流出させる他の流出部を備え、前記経路構成部品は、前記他の流出部に向かう前記冷却風の流れを妨げるための壁部を備えていることを要旨とする。
【０００９】
この発明によれば、経路構成部品は、光学素子用流出部ではない他の流出部に向かう冷却風の流れを妨げるための壁部を備えている。従って、他の流出部に向かう冷却風を光学素子用流出部に向かうようにすることにより、光学素子用流出部から上記の光学素子に向けて流出する冷却風の風量が大きくなるように構成することができる。
【００１０】
請求項３に記載の発明は、請求項２に記載の液晶プロジェクタにおいて、前記経路構成部品が備える前記壁部は、前記ダクトにおける前記冷却風の流れを遮断することを要旨とする。この発明によれば、経路構成部品が備える壁部は、ダクトにおける冷却風の流れを遮断するため、冷却風の流れを確実に妨げることができる。
【００１１】
請求項４に記載の発明は、請求項１〜３のいずれか一項に記載の液晶プロジェクタにおいて、前記冷却ファンとして、第１の冷却ファン及び第２の冷却ファンを備え、前記ダクトは、前記第１の冷却ファンにより送風される前記冷却風が流れる第１の流路と、前記第２の冷却ファンにより送風される前記冷却風が流れる第２の流路と、前記第１の流路と前記第２の流路とを連通する連通部とを備え、ダクトに前記経路構成部品が設けられることにより、前記連通部における前記冷却風の流れが妨げられることを要旨とする。
【００１２】
この発明によれば、ダクトは、第１の冷却ファンにより送風される冷却風が流れる第１の流路と、第２の冷却ファンにより送風される冷却風が流れる第２の流路とを連通する連通部を備えているため、複数の冷却ファンにより複数の流出部に冷却風を送風することを図ることができる。そして、ダクトに経路構成部品が設けられることにより、連通部における冷却風の流れが妨げられるため、第１の流路から第２の流路への冷却風の流れ、又は第２の流路から第１の流路への冷却風の流れを妨げることにより、光学素子用流出部から上記の光学素子に向けて流出する冷却風の風量が大きくなるように構成することができる。
【００１３】
請求項５に記載の発明は、請求項４に記載の液晶プロジェクタにおいて、前記３つの液晶ライトバルブとして、前記光学素子により偏光状態が調整される光が透過する１つの液晶ライトバルブ、この１つの液晶ライトバルブを除く２つの液晶ライトバルブとを備え、前記第１の流路を流れる前記冷却風は、前記１つの液晶ライトバルブを構成する光学部品に向けて流出するとともに、前記第２の流路を流れる前記冷却風は、前記２つの液晶ライトバルブを構成する光学部品に向けて流出することを要旨とする。
【００１４】
この発明によれば、第１の冷却ファンにより送風され第１の流路を流れる冷却風は、１つの液晶ライトバルブを構成する光学部品に向けて流出し、第２の冷却ファンにより送風され第２の流路を流れる冷却風は、２つの液晶ライトバルブを構成する光学部品に向けて流出する。このため、第１の冷却ファンと第２の冷却ファンにより３つの液晶ライトバルブを構成する光学部品を冷却することができる。
【発明の効果】
【００１５】
本発明によれば、製造コストの増加を抑制しながらも、色再現性の高い映像を表示するための光学素子を効果的に冷却することができる。
【発明を実施するための最良の形態】
【００１６】
図面を参照して、本発明の液晶プロジェクタとして具体化した実施形態について説明する。本発明の実施形態に係る液晶プロジェクタ１は、ライトバルブとして液晶を用いるとともに、スクリーンへ光を投射することにより映像を投写して表示する投写型映像表示装置である。
【００１７】
液晶プロジェクタ１は、図１に示すように、ランプ１１、インテグレータレンズ１２、偏光変換素子１３、複数枚のコンデンサレンズ１４、複数枚のミラー１５、ダイクロイックミラー１６，１７、液晶ライトバルブ２０，３０，４０、ダイクロイックプリズム１８、及び投写レンズ１９を備えている。以下、これらの光学部品を具体的に説明する。
【００１８】
光を出射するランプ１１は、石英ガラスにより形成された発光管１１ａ内に、水銀とハロゲンガスの混合物または水銀とハロゲン化物の混合物が封入された超高圧水銀ランプである。ランプ１１から所定方向のみに光が出射されるように、発光管１１ａはリフレクタ１１ｂにより覆われている。
【００１９】
インテグレータレンズ１２は、耐熱性ガラスにより形成された２枚のフライアイレンズ１２ａ，１２ｂにより構成された光学部品である。ランプ１１から出射された光がインテグレータレンズ１２を透過することにより、その光の照度分布が均一化される。
【００２０】
偏光変換素子１３は、偏光分離膜と位相差板とを有し、ランプ１１から出射された光を直線偏光に変換するための光学部品である。具体的には、偏光変換素子１３は、偏光分離膜によりＰ偏光とＳ偏光を分離するとともに、位相差板によりＰ偏光及びＳ偏光のいずれかの位相をずらすことにより、液晶ライトバルブ２０，３０，４０に入射する光を直線偏光とする。
【００２１】
コンデンサレンズ１４は、光が透過する光学部品の大きさに応じて、ランプ１１から出射された光を集光させるレンズである。また、ミラー１５は、ランプ１１から出射された光を反射することにより光を液晶ライトバルブ２０，３０，４０、ダイクロイックプリズム１８、及び投写レンズ１９へ導くための鏡である。
【００２２】
ダイクロイックミラー１６は、赤色及び緑色に対応する波長の光を反射する鏡であって、ダイクロイックミラー１７は、緑色に対応する波長の光を反射する鏡である。従って、ランプ１１から出射された白色光から、ダイクロイックミラー１６により青色に対応する波長の光（以下、「青色光」）が分離されるとともに、ダイクロイックミラー１７により赤色に対応する波長の光（以下、「赤色光」）と緑色に対応する波長の光（以下、「緑色光」）が分離される。
【００２３】
液晶ライトバルブ２０は、無機偏光板２１、入射側偏光板２２、光学補償板２３、液晶パネル２４、プリ偏光板２５、及び出射側偏光板２６により構成されており、液晶ライトバルブ２０を青色光が透過することにより、青色の映像が生成される。液晶ライトバルブ２０に光が入射する方向から、無機偏光板２１、入射側偏光板２２、光学補償板２３、液晶パネル２４、プリ偏光板２５、出射側偏光板２６の順に設けられている。従って、無機偏光板２１、入射側偏光板２２、及び光学補償板２３は、液晶パネル２４の光の入射側に設けられた入射側光学素子２０ａであって、プリ偏光板２５及び出射側偏光板２６は、液晶パネル２４の光の出射側に設けられた出射側光学素子２０ｂである。
【００２４】
また、液晶ライトバルブ３０は、無機偏光板３１、入射側偏光板３２、光学補償板３３、液晶パネル３４、プリ偏光板３５、出射側偏光板３６、及びＹｅ変調素子３７により構成されており、液晶ライトバルブ３０を緑色光が透過することにより、緑色の映像が生成される。液晶ライトバルブ３０に光が入射する方向から、Ｙｅ変調素子３７、無機偏光板３１、入射側偏光板３２、光学補償板３３、液晶パネル３４、プリ偏光板３５、出射側偏光板３６の順に設けられている。従って、無機偏光板３１、入射側偏光板３２、光学補償板３３、及びＹｅ変調素子３７は、液晶パネル３４の光の入射側に設けられた入射側光学素子３０ａであって、プリ偏光板３５及び出射側偏光板３６は、液晶パネル３４の光の出射側に設けられた出射側光学素子３０ｂである。
【００２５】
また、液晶ライトバルブ４０は、入射側偏光板４２、光学補償板４３、液晶パネル４４、プリ偏光板４５、及び出射側偏光板４６により構成されており、液晶ライトバルブ４０を赤色光が透過することにより、赤色の映像が生成される。液晶ライトバルブ４０に光が入射する方向から、入射側偏光板４２、光学補償板４３、液晶パネル４４、プリ偏光板４５、出射側偏光板４６の順に設けられている。従って、入射側偏光板４２及び光学補償板４３は、液晶パネル４４の光の入射側に設けられた入射側光学素子４０ａであって、プリ偏光板４５及び出射側偏光板４６は、液晶パネル４４の光の出射側に設けられた出射側光学素子４０ｂである。
【００２６】
無機偏光板２１，３１は、反射型の偏光板であって、入射する偏光を直線偏光として出射させる光学部品である。また、入射側偏光板２２，３２，４２は、吸収型の偏光板であって、映像のコントラストを向上させるために、光学補償板２３，３３，４３や液晶パネル２４，３４，４４を透過せずに反射した不要な反射光を吸収する光学部品である。また、光学補償板２３，３３，４３は、液晶パネル２４，３４，４４を透過する光の複屈折を補償する光学部品である。
【００２７】
液晶パネル２４，３４，４４は、液晶と、液晶に電圧を印加するための透明電極と、液晶を挟むガラスとにより形成された光学部品である。また、プリ偏光板２５，３５，４５は、光量を減少させることにより出射側偏光板２６，３６，４６の負担を軽減するための光学部品である。また、出射側偏光板２６，３６，４６は、映像のコントラストを向上させるために、液晶パネル２４，３４，４４と出射側偏光板２６，３６，４６の間において乱反射した光や、ダイクロイックプリズム１８を透過せずに反射した不要な反射光を吸収する光学部品である。
【００２８】
Ｙｅ変調素子３７は、緑色光に含まれる黄色に対応する波長の光（以下、「黄色光」）をＹｅ変調素子３７に印加された電圧に応じて変調する光学部品であって、Ｙｅ変調素子３７に入射する黄色光の偏光状態を調整する光学素子である。即ち、Ｙｅ変調素子３７は、液晶ライトバルブ３０を透過する所定の波長領域を有する緑色光について、緑色光の波長領域に含まれるとともに、緑色光の波長領域よりも狭い波長領域を有する黄色光の偏光状態を、印加される電圧に応じて変調する光学素子である。具体的には、Ｙｅ変調素子は、入射する黄色光の直線偏光を、光軸を中心として０〜９０度の範囲内で回転させて出射する光学素子や、入射する黄色光の直線偏光を、楕円偏光または円偏光に変換する光学素子である。液晶プロジェクタ１はこのようなＹｅ変調素子を備えることにより、光学部品の部品点数増加によるコストアップを抑制しながらも色再現性の高い映像を表示することができる。
【００２９】
ダイクロイックプリズム１８は、各液晶ライトバルブ２０，３０，４０を透過することによって生成された各色の映像を合成することにより、フルカラーの映像を生成するものである。具体的には、ダイクロイックプリズム１８は、三方から入射する光のうち、青色光と赤色光を反射して液晶プロジェクタ１の前方へ出射するとともに、緑色光を透過させて液晶プロジェクタ１の前方へ出射する。
【００３０】
投写レンズ１９は、複数枚のレンズにより構成され、ダイクロイックプリズム１８から出射された光が投写レンズ１９に入射することにより、液晶プロジェクタ１の前方に光を出射して、フルカラーの映像を投写して表示するものである。
【００３１】
以上のように構成された光学部品は、液晶プロジェクタ１内に設けられた支持部材に取り付けられて支持されており、インテグレータレンズ１２、偏光変換素子１３、コンデンサレンズ１４、ミラー１５、ダイクロイックミラー１６，１７は、支持部材である樹脂製のベース部材（不図示）に取り付けられている。また、入射側偏光板２２，３２，４２及び光学補償板２３，３３，４３は、保持部材５２（図２参照）を用いてベース部材に取り付けられている。
【００３２】
また、液晶パネル２４，３４，４４と、プリ偏光板２５，３５，４５及び出射側偏光板２６，３６，４６と、ダイクロイックプリズム１８とは、ねじ等を用いて互いに固定されている。このようにして、ダイクロイックプリズム１８とともに固定されている光学部品は、図２及び図３に示すように、プリズムユニット５３として一体的に構成されている。
【００３３】
また、図２及び図３に示すように、液晶プロジェクタ１は、上記の光学部品を冷却するための冷却風を送風する冷却ファンとして第１の冷却ファン７１と第２の冷却ファン７２と、光学部品に冷却風を供給するダクト６０とを備えている。具体的には、プリズムユニット５３の近傍には樹脂製のダクト６０が設けられており、冷却風を案内するダクト６０には冷却ファン７１，７２が接続されている。なお図面において、冷却ファン７１，７２を構成する羽根は省略されている。以下に冷却ファン７１，７２が接続されるダクト６０の具体的な構成について説明する。
【００３４】
図４はダクト６０の外観を示す斜視図であって、図５はダクト６０の分解斜視図であって、図６はダクト６０の平面図である。また、図７はダクト６０を構成する部材の平面図であって、図８は図６のＡ−Ａ部分を断面としたダクト６０の断面斜視図であって、図９は図６のＢ−Ｂ部分を断面としたダクト６０の断面斜視図である。
【００３５】
ダクト６０は、図４及び図５に示すように、冷却ファン７１，７２によって送風された冷却風がダクト６０内に流入するための流入部６１，６２と、冷却風が流れる空間である流路６０Ａ，６０Ｂと、ダクト６０内の冷却風を光学部品に向けて流出させる複数の流出部６３〜６８とを備えている。図５に示すように、ダクト６０は２つのダクト部材６０ａ，６０ｂからなり、ダクト部材６０ａに流出部６３〜６８が形成されるとともに、ダクト部材６０ｂには冷却風が流れる流路６０Ａ，６０Ｂを構成するための溝が形成されている。
【００３６】
流入部６１，６２は、冷却ファン７１，７２を接続するための壁部からなり、図２及び図３に示すように、流入部６１には、第１の冷却ファン７１が接続され、流入部６２には、第２の冷却ファン７２が接続される構成となっている。
【００３７】
流出部６３は、空間を介して互いに対向する壁部からなり、冷却風を液晶ライトバルブ３０の入射側光学素子３０ａに向けて流出させるものである。この流出部６３は、図８に示すように、第１の冷却ファン７１からの冷却風が流れる流路６０Ａに開口した空間である流出部入口６３ａと、入射側光学素子３０ａに向けて開口した空間である流出部出口６３ｂとを備えている。
【００３８】
流出部６４は、空間を介して互いに対向する壁部からなり、冷却風を液晶ライトバルブ３０の出射側光学素子３０ｂに向けて流出させるものである。この流出部６４は、図８に示すように、第１の冷却ファン７１からの冷却風が流れる流路６０Ａに開口した空間である流出部入口６４ａと、出射側光学素子３０ｂに向けて開口した空間である流出部出口６４ｂとを備えている。
【００３９】
以上のように構成された流出部６３，６４は、図７及び図８に示すように、流路６０Ａを流れる第１の冷却ファン７１からの冷却風の流れ方向Ｘ１において、上流側から、流出部入口６３ａ、流出部入口６４ａの順で流出部入口６３ａ，６４ａが開口するように構成されている。
【００４０】
流出部６５は、空間を介して互いに対向する壁部からなり、冷却風を液晶ライトバルブ４０の入射側光学素子４０ａに向けて流出させるものである。この流出部６５は、図９に示すように、第２の冷却ファン７２からの冷却風が流れる流路６０Ｂに開口した空間である流出部入口６５ａと、入射側光学素子４０ａに向けて開口した空間である流出部出口６５ｂとを備えている。
【００４１】
流出部６６は、空間を介して互いに対向する壁部からなり、冷却風を液晶ライトバルブ４０の出射側光学素子４０ｂに向けて流出させるものである。この流出部６６は、図９に示すように、第２の冷却ファン７２からの冷却風が流れる流路６０Ｂに開口した空間である流出部入口６６ａと、出射側光学素子４０ｂに向けて開口した空間である流出部出口６６ｂとを備えている。
【００４２】
流出部６７は、空間を介して互いに対向する壁部からなり、冷却風を液晶ライトバルブ２０の入射側光学素子２０ａに向けて流出させるものである。この流出部６７は、図９に示すように、第２の冷却ファン７２からの冷却風が流れる流路６０Ｂに開口した空間である流出部入口６７ａと、入射側光学素子２０ａに向けて開口した空間である流出部出口６７ｂとを備えている。
【００４３】
流出部６８は、空間を介して互いに対向する壁部からなり、冷却風を液晶ライトバルブ２０の出射側光学素子２０ｂに向けて流出させるものである。この流出部６８は、図９に示すように、第２の冷却ファン７２からの冷却風が流れる流路６０Ｂに開口した空間である流出部入口６８ａと、出射側光学素子２０ｂに向けて開口した空間である流出部出口６８ｂとを備えている。
【００４４】
以上のように構成された流出部６５〜６８は、図７及び図９に示すように、流路６０Ｂを流れる第２の冷却ファン７２からの冷却風の流れ方向Ｘ２において、上流側から、流出部入口６５ａ、流出部入口６６ａ、流出部入口６８ａ、流出部入口６７ａの順で流出部入口６５ａ〜６８ａが開口するように構成されている。
【００４５】
また、ダクト６０は、流路６０Ａと流路６０Ｂとを連通する空間である連通部６０Ｃを備えている。具体的には、この連通部６０Ｃは、流路６０Ａにおける流出部入口６４ａの下流側に設けられており、流路６０Ｂにおける流出部入口６６ａの下流側であって流出部入口６８ａの上流側に設けられる構成となっている。
【００４６】
このような構成によれば、互いに異なる冷却ファンから送風される冷却風が流れる流路６０Ａ，６０Ｂを連通する連通部６０Ｃをダクト６０が備えているため、複数の冷却ファン７１，７２により複数の流出部６３〜６８に冷却風を送風することを図ることができる。また、ダクト６０に冷却風の経路を構成する経路構成部品を設けることによって、例えば、第１の冷却ファン７１により複数の流出部６３〜６８のうち３つの流出部６３，６４，６６に冷却風を送風して、第２の冷却ファン７２により複数の流出部６５，６７，６８に冷却風を送風することもできる。
【００４７】
本実施形態においては、Ｙｅ変調素子３７を効果的に冷却するために、ダクト６０内における冷却風の経路を構成する経路構成部品として、図１０に示す板金製の仕切り板８０がダクト６０に設けられる構成となっている。
【００４８】
仕切り板８０は、流出部６５，６６へ流れる冷却風の経路と流出部６７，６８へ流れる冷却風の経路とをダクト６０内において区切るために流路６０Ｂを仕切る仕切部８１と、流路６０Ａから流路６０Ｂへ流れる冷却風の流れを妨げるための壁部８２とを備えている。図１１に示すように、壁部８２が連通部６０Ｃ（図５参照）を塞ぐようにダクト部材６０ｂに仕切り板８０が取り付けられることにより、ダクト６０に仕切り板８０が設けられる構成となっている。
【００４９】
このように仕切り板８０は仕切部８１を備えているため、流出部６５，６６へ流れる冷却風の風量と流出部６７，６８へ流れる冷却風の風量を調整することができる。また、仕切り板８０は壁部８２を備えているため、流路６０Ａから流路６０Ｂへ冷却風が流れないようにすることができる。
【００５０】
ここで、本実施形態においては、ダクト６０は、複数の流出部６３〜６８のうちの１つの流出部として、冷却風をＹｅ変調素子３７に向けて流出させるＹｅ変調素子用の流出部６３を備えている。そして、ダクト６０に仕切り板８０が設けられることにより、仕切り板８０をダクト６０に設けない場合と比較して、流出部６３からＹｅ変調素子３７に向けて流出する冷却風の風量が大きくなるように構成されていることに特徴がある。
【００５１】
具体的には、ダクト６０は、上述のごとく、複数の流出部のうちの１つの流出部として、Ｙｅ変調素子３７を含む入射側光学素子３０ａに向けて冷却風を流出させる流出部６３と、その他の光学部品である出射側光学素子４０ｂに向けて流出させる流出部６６等を備えた構成である。ダクト６０は流路６０Ａと流路６０Ｂを連通する連通部６０Ｃを備える構成であるが、仕切り板８０が備える壁部８２により、連通部６０Ｃにおける冷却風の流れが妨げられて、流路６０Ａから連通部６０Ｃを通過して流出部６５〜６８に向かう冷却風の流れが遮断される構成となっている。
【００５２】
このように、ダクト６０に仕切り板８０が設けられることにより、第１の冷却ファン７１から送風される冷却風が流路６０Ａから流路６０Ｂへ流れないように構成され、仕切り板８０を設けない場合と比較して、ダクト６０内から流出部６３に流入する冷却風の流量、即ち、流出部６３からＹｅ変調素子３７に向けて流出する冷却風の風量が大きくなる。
【００５３】
その結果、図１２に示すように、第１の冷却ファン７１により送風される冷却風が流路６０Ａを流れることにより、液晶ライトバルブ３０を構成する光学部品（即ち、入射側光学素子３０ａ及び出射側光学部品３０ｂ）に向けて冷却風が流出部６３，６４から流出し、Ｙｅ変調素子３７や液晶ライトバルブ３０を構成する光学部品を効果的に冷却することができる。
【００５４】
また、図１３に示すように、第２の冷却ファン７２により送風される冷却風が流路６０Ｂを流れることにより、液晶ライトバルブ２０，３０を構成する光学部品（即ち、入射側光学素子２０ａ，４０ａ及び出射側光学部品２０ｂ，４０ｂ）に向けて冷却風が流出部６５〜６８から流出し、液晶ライトバルブ２０，３０を構成する光学部品を冷却することができる。
【００５５】
本実施形態の液晶プロジェクタ１によれば、以下の効果を奏することができる。
（１）液晶プロジェクタ１は、３つの液晶ライトバルブ２０，３０，４０のうちの１つの液晶ライトバルブ３０を透過する所定の波長領域を有する緑色光について、その波長領域に含まれるとともにその波長領域よりも狭い波長領域を有する黄色光の偏光状態を調整するＹｅ変調素子３７を備えている。このため、３つの液晶ライトバルブ２０，３０，４０のみで偏光状態を調整する場合に比し、色再現性の高い映像を表示することができる。また、ダクト６０は、複数の流出部６３〜６８のうちの１つの流出部として、冷却風をＹｅ変調素子３７に向けて流出させる流出部６３を備えている。そして、ダクト６０に冷却風の経路を構成する仕切り板８０が設けられることにより、仕切り板８０をダクト６０に設けない場合と比較して、流出部６３からＹｅ変調素子３７に向けて流出する冷却風の風量が大きくなるように構成されている。このため、冷却ファンを増設することなく、また、ダクトの形状を変更することなく、Ｙｅ変調素子３７に向けて流出する冷却風の風量を大きくすることができる。従って、製造コストの増加を抑制しながらも、色再現性の高い映像を表示するためのＹｅ変調素子３７を効果的に冷却することができる。
【００５６】
（２）ダクト６０は、複数の流出部６３〜６８のうちの１つの流出部として、Ｙｅ変調素子３７を除く光学部品である出射側光学素子４０ｂに向けて流出させる流出部６６を備え、仕切り板８０は、流出部６６に向かう冷却風の流れを妨げるための壁部８２を備えている。従って、流出部６６に向かう冷却風を流出部６３に向かうようにすることにより、流出部６３からＹｅ変調素子３７に向けて流出する冷却風の風量が大きくなるように構成することができる。
【００５７】
（３）仕切り板８０が備える壁部８２は、ダクト６０における冷却風の流れを遮断する。このため、冷却風の流れを確実に妨げることができ、流路６０Ａから流路６０Ｂへ冷却風が流れることを防止することができる。
【００５８】
（４）液晶プロジェクタ１は、冷却ファンとして、第１の冷却ファン７１及び第２の冷却ファン７２を備え、ダクト６０は、第１の冷却ファン７１により送風される冷却風が流れる流路６０Ａと、第２の冷却ファン７２により送風される冷却風が流れる流路６０Ｂと、流路６０Ａと流路６０Ｂとを連通する連通部６０Ｃとを備えている。このため、複数の冷却ファン７１，７２により複数の流出部６３〜６８に冷却風を送風することを図ることできる。そして、ダクト６０に仕切り板８０が設けられることにより、連通部６０Ｃにおける冷却風の流れが妨げられるため、流路６０Ａから流路６０Ｂへの冷却風の流れを妨げることにより、流出部６３からＹｅ変調素子３７に向けて流出する冷却風の風量が大きくなるように構成することができる。
【００５９】
（５）液晶プロジェクタ１は、３つの液晶ライトバルブとして、Ｙｅ変調素子３７により偏光状態が調整される光が透過する１つの液晶ライトバルブ３０、液晶ライトバルブ３０を除く２つの液晶ライトバルブ２０，４０とを備えている。そして、流路６０Ａを流れる冷却風は、液晶ライトバルブ３０を構成する光学部品に向けて流出するとともに、流路６０Ｂを流れる冷却風は、２つの液晶ライトバルブ２０，４０を構成する光学部品に向けて流出する。このため、第１の冷却ファン７１と第２の冷却ファン７２により３つの液晶ライトバルブ２０，３０，４０を構成する光学部品を冷却することができる。
【００６０】
（その他の実施形態）
本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００６１】
・上記実施形態においては、仕切り板８０が備える壁部８２は、ダクト６０における冷却風の流れを遮断するものであったが、流路６０Ａから流路６０Ｂへ冷却風が流れることを妨げる、即ち抑制することができるものであればよく、壁部８２の形状は適宜変更してもよい。また、経路構成部品として板金製の仕切り板８０を用いたが、経路構成部品が樹脂により形成されるものであってもよい。
【００６２】
・上記各実施形態においては、液晶プロジェクタ１は、色再現性の高い映像を表示するための光学素子としてＹｅ変調素子３７を備えていたが、黄色光の偏光状態を調整する光学素子でなくてもよい。例えば、液晶プロジェクタ１は、色再現性の高い映像を表示するための光学素子として、液晶ライトバルブ２０を透過する所定の波長領域を有する赤色光について、その所定の波長領域に含まれるとともにその所定の波長領域よりも狭い波長領域を有する光の偏光状態を調整する光学素子を備えていてもよい。
【００６３】
・上記各実施形態においては、ダクト６０は、２つの流入部６１，６２と８つの流出部６３〜６８とを備える構成であったが、このようにダクト６０を構成しなくてもよい。即ち、ダクト６０に冷却風の経路を構成する経路構成部品が設けられることにより、この経路構成部品をダクト６０に設けない場合と比較して、所定の流出部から色再現性の高い映像を表示するための光学素子に向けて流出する冷却風の風量が大きくなるように構成されていればよい。この場合にも上記実施形態に準じた作用効果を得ることができる。
【図面の簡単な説明】
【００６４】
【図１】本発明の液晶プロジェクタを具体化した一実施形態について、同実施形態に係る液晶プロジェクタが備える光学部品の構成を示す模式図。
【図２】同実施形態に係る光学部品と、光学部品を冷却するための冷却風を流通させるダクトと、ダクトに接続された冷却ファンを示す斜視図。
【図３】同実施形態に係るプリズムユニットと、その近傍に設けられた光学部品及びダクトと、冷却ファンとを示す斜視図。
【図４】同実施形態に係るダクトの外観を示す斜視図。
【図５】同実施形態に係るダクトの分解斜視図。
【図６】同実施形態に係るダクトの平面図。
【図７】同実施形態に係るダクトが備える冷却風の流路を示す平面図。
【図８】図６のＡ−Ａ部分のダクトの断面を示す斜視図。
【図９】図６のＢ−Ｂ部分のダクトの断面を示す斜視図。
【図１０】（ａ）（ｂ）同実施形態に係る経路構成部品の外観を示す斜視図。
【図１１】（ａ）（ｂ）同実施形態に係る経路構成部品がダクトに取り付けられた状態を示す斜視図。
【図１２】同実施形態に係る経路構成部品がダクトに取り付けられた状態において、図６のＡ−Ａ部分のダクトの断面を示す斜視図。
【図１３】同実施形態に係る経路構成部品がダクトに取り付けられた状態において、図６のＢ−Ｂ部分のダクトの断面を示す斜視図。
【符号の説明】
【００６５】
Ｘ１，Ｘ２…冷却風の流れ方向、１…液晶プロジェクタ、１１…ランプ、１１ａ…発光管、１１ｂ…リフレクタ、１２…インテグレータレンズ、１２ａ，１２ｂ…フライアイレンズ、１３…偏光変換素子、１４…コンデンサレンズ、１５…ミラー、１６，１７…ダイクロイックミラー、１８…ダイクロイックプリズム、１９…投写レンズ、２０，３０，４０…液晶ライトバルブ、２０ａ，３０ａ，４０ａ…入射側光学素子、２０ｂ，３０ｂ，４０ｂ…出射側光学素子、２１，３１…無機偏光板、２２，３２，４２…入射側偏光板、２３，３３，４３…光学補償板、２４，３４，４４…液晶パネル、２５，３５，４５…プリ偏光板、２６，３６，４６…出射側偏光板、３７…Ｙｅ変調素子（光学素子）、５２…保持部材、５３…プリズムユニット、６０…ダクト、６０Ａ，６０Ｂ…流路、６０Ｃ…連通部、６０ａ，６０ｂ…ダクト部材、６１，６２…流入部、６３…流出部（光学素子用流出部）、６４，６５，６６，６７，６８…流出部、６３ａ，６４ａ，６５ａ，６６ａ，６７ａ，６８ａ…流出部入口、６３ｂ，６４ｂ，６５ｂ，６６ｂ，６７ｂ，６８ｂ…流出部出口、７１，７２…冷却ファン、８０…仕切り板（経路構成部品）、８１…仕切部、８２…壁部。
【図１】
2010061006.tif 000003
【図２】
2010061006.tif 000004
【図３】
2010061006.tif 000005
【図４】
2010061006.tif 000006
【図５】
2010061006.tif 000007
【図６】
2010061006.tif 000008
【図７】
2010061006.tif 000009
【図８】
2010061006.tif 000010
【図９】
2010061006.tif 000011
【図１０】
2010061006.tif 000012
【図１１】
2010061006.tif 000013
【図１２】
2010061006.tif 000014
【図１３】
2010061006.tif 000015